(57)【特許請求の範囲】
【請求項１】
遊技面を構成する扉がその一側縁の上下２箇所で各々枠部に対し支軸回りに開閉自在に取り付けられた遊技機において、
上記上下２箇所のうち一方の取付箇所では、扉に扉側金具が、枠部に枠側金具がそれぞれ取り付けられているとともに、上記扉側金具及び枠側金具のいずれか一方に支軸が、他方に軸受部がそれぞれ設けられていて、扉の取付時に上記支軸を軸受部に嵌入して枠側金具上に扉側金具を支持させるようになっており、
他方の取付箇所では、扉にヒンジ機構が、枠部にロック機構がそれぞれ設けられており、上記ヒンジ機構は、扉に固定された固定金具と、この固定金具に一端が支軸を介して回動可能に連結されかつ他端に鉤状のフック部を有する回動金具とを備えており、上記ロック機構は、上記回動金具のフック部と係合可能に設けられており、扉の取付時に上記ロック機構により回動金具のフック部を係合ロックするようになっていることを特徴とする遊技機の扉取付構造。
【請求項２】
上記ロック機構は、枠部に固定されかつ枠部の幅方向に延びたスライド溝を有する固定金具と、この固定金具のスライド溝に沿ってスライド可能に設けられたスライド金具と、このスライド金具をスライド溝の一端側に付勢するばねと、上記スライド金具に取り付けられた係合軸とを備え、上記ヒンジ機構の回動金具のフック部との係合時にそのフック部が上記係合軸に当接してばねの付勢力に抗してスライド金具を固定金具のスライド溝の他端側にスライドさせ、フック部が係合軸に係合してロックされるように構成されている請求項１記載の遊技機の扉取付構造。
【請求項３】
上記ヒンジ機構の固定金具及び回動金具のいずれか一方には支軸が貫通する貫通孔の周囲に突起部が設けられ、他方には同じく支軸が貫通する貫通孔の周囲に上記突起部が嵌合可能な複数の嵌合部が貫通孔の円周方向に所定間隔毎に設けられており、扉の開閉時上記突起部と嵌合部との嵌合により扉の開度が段階的に選択されるようになっている請求項１又は２記載の遊技機の扉取付構造。
【請求項４】
上記ヒンジ機構の固定金具は、扉の閉じ状態でその扉と枠体との隙間を塞ぐカバー部材の一部を構成する部分を有してなる請求項１〜３のいずれか一つに記載の遊技機の扉取付構造。
【請求項５】
遊技面を構成する扉がその一側縁の上下２箇所で各々枠部に対し支軸回りに開閉自在に取り付けられた遊技機において、
上記上下２箇所のうち一方の取付箇所では、扉に扉側金具が、枠部に枠側金具がそれぞれ取り付けられているとともに、上記扉側金具及び枠側金具のいずれか一方に支軸が、他方に軸受部がそれぞれ設けられていて、扉の取付時に上記支軸を軸受部に嵌入して枠側金具上に扉側金具を支持させるようになっており、
他方の取付箇所では、扉にヒンジ機構が、枠部にフック部材がそれぞれ設けられており、上記ヒンジ機構は、扉に固定された固定金具と、この固定金具に一端が支軸を介して回動可能に連結された回動金具とを備えており、上記回動金具の他端には上記フック部材と係合可能なロック機構が設けられており、扉の取付時に上記ロック機構によりフック部材を係合ロックするようになっていることを特徴とする遊技機の扉取付構造。
【発明の詳細な説明】
【０００１】
【発明の属する技術分野】
本発明は、スロットマシンの前扉やパチンコ機の前枠など遊技機の遊技面を構成する扉を開閉自在に取り付けるための扉取付構造に関する。
【０００２】
【従来の技術】
一般に、スロットマシンにおいては、リール装置や制御ボックスなどを収納する筐体の前方開口部に、リール表示窓などの表示部及び操作部を有する前扉がその左側縁をヒンジ側として開閉自在に取り付けられている。また、パチンコ機においては、遊技盤や操作ハンドルなどを備えた前枠が、板材を矩形に枠組みしてなる取付枠に対し同様に開閉自在に取り付けられている。
【０００３】
そして、このような遊技機の扉取付構造においては、保守点検や組立の都合などから扉の取り外しを容易に行い得るヒンジ機構が多く採用されている。例えばパチンコ機の場合、実公平４−３２１４４号公報などに開示されるように、取付枠の片側上下２箇所にそれぞれ一部が前方に突出する枠側金具を取り付けるとともに、開閉扉である前枠の片側上下２箇所にそれぞれ一部が前方に突出する扉側金具を取り付け、上下２組の枠側金具と扉側金具とを、それらに設けた支軸と軸受部（孔など）との嵌め込みにより結合することが行われている。
【０００４】
【発明が解決しようとする課題】
ところが、パチンコ機の前枠など遊技機の扉は非常に重たいため、これを作業者一人で持ち上げ、上下２箇所で支軸と軸受部との位置合わせをしながら嵌め込みを行うことは極めで困難な作業であった。
【０００５】
そこで、この問題を解決するために、特開平８−３８７２０号公報には、扉の上下２箇所のヒンジ部のうち、一方のヒンジ部では従来通り支軸と軸受部との嵌め込みにより枠側金具と扉側金具とを結合し、他方のヒンジ部では扉の上端部又は下端部に支軸を上下方向に出没可能に設け、この支軸を扉の内部に埋没した状態で支軸を枠側金具の軸受部に位置合わせした後ばねの付勢力により支軸を扉の内部から突出させて軸受部に嵌め込むようにしたものが提案されている。しかし、この提案のものでは、扉の上端部又は下端部に支軸を上下方向に出没可能に設けたり、扉の内部にばねなどを設けたりする必要があるため、扉の枠材などの大きさを変更しなければならないなどの不具合がある。
【０００６】
本発明はかかる諸点に鑑みてなされたものであり、その課題とするところは、遊技機の扉及び枠部の設計変更を要することなく、扉の取付作業を作業者一人でも容易に行い得る遊技機の扉取付構造を提供せんとするものである。
【０００７】
【課題を解決するための手段】
上記の課題を解決するため、請求項１に係る発明は、遊技面を構成する扉がその一側縁の上下２箇所で各々枠部に対し支軸回りに開閉自在に取り付けられた遊技機の扉取付構造として、上記上下２箇所のうち一方の取付箇所では、扉に扉側金具を、枠部に枠側金具をそれぞれ取り付けるとともに、上記扉側金具及び枠側金具のいずれか一方に支軸を、他方に軸受部をそれぞれ設けて、扉の取付時に上記支軸を軸受部に嵌入して枠側金具上に扉側金具を支持させるようにする。また、他方の取付箇所では、扉にヒンジ機構を、枠部にロック機構をそれぞれ設ける。上記ヒンジ機構を、扉に固定された固定金具と、この固定金具に一端が支軸を介して回動可能に連結されかつ他端に鉤状のフック部を有する回動金具とによって構成する一方、上記ロック機構を上記回動金具のフック部と係合可能に設け、扉の取付時に上記ロック機構により回動金具のフック部を係合ロックするように構成する。
【０００８】
この構成では、扉を枠部に取り付ける場合には、先ず、扉を持ち上げた状態において、一方の取付箇所における扉側金具と枠側金具との間で支軸と軸受部との位置合わせをしながら、その支軸を軸受部に嵌入して枠側金具上に扉側金具を支持させる。この時、支軸と軸受部との位置合わせは一箇所だけであるので、その分位置合わせを容易に行うことができる。次に、枠側金具上に扉側金具を支持させた状態つまり扉を枠部側に１点で支持させた状態において、その支持点を中心として扉を枠部側に寄せながら、他方の取付箇所において、扉側のヒンジ機構の回動金具のフック部を枠部側のロック機構に対し係合ロックすることにより、扉がヒンジ機構及びロック機構を介して枠部に連結されかつヒンジ機構の支軸を中心に開閉自在に支持される。以上によって、扉の取付が終了することになり、その取付作業を容易に行うことができる。
【０００９】
しかも、上記他方の取付箇所（ヒンジ部）においては、扉にロック機構の固定金具を固定しているだけであり、扉の設計変更を要することはない。また、枠部にロック機構を設けているが、このロック機構の配置箇所としては、枠部の上縁側では下方空間に、枠部の下縁側では上方空間に設定すればよいので、枠部においても設計変更を要することはない。
【００１０】
請求項２に係る発明は、上記ロック機構の一つの具体的な形態を提供する。すなわち、上記ロック機構は、枠部に固定されかつ枠部の幅方向に延びたスライド溝を有する固定金具と、この固定金具のスライド溝に沿ってスライド可能に設けられたスライド金具と、このスライド金具をスライド溝の一端側に付勢するばねと、上記スライド金具に取り付けられた係合軸とを備え、上記ヒンジ機構の回動金具のフック部との係合時にそのフック部が上記係合軸に当接してばねの付勢力に抗してスライド金具を固定金具のスライド溝の他端側にスライドさせ、フック部が係合軸に係合してロックされる構成とする。この構成では、ロック機構が比較的少ない部材でコンパクトになる上、ばねの付勢力つまりばね力によりヒンジ機構の回動金具のフック部を確実に係合ロックすることができる。
【００１１】
請求項３に係る発明は、扉の取外し又は取付時にも上記ヒンジ機構がその支軸で分離されないという構成を有効に利用して、扉の開度調整機能を簡単に発揮できる形態を提供する。すなわち、上記ヒンジ機構の固定金具及び回動金具のいずれか一方に、支軸が貫通する貫通孔の周囲に突起部を設け、他方に同じく支軸が貫通する貫通孔の周囲に上記突起部が嵌合可能な複数の嵌合部を貫通孔の円周方向に所定間隔毎に設け、扉の開閉時上記突起部と嵌合部との嵌合により扉の開度が段階的に選択されるように構成する。
【００１２】
請求項４に係る発明は、上記ヒンジ機構の固定金具が、扉の閉じ状態でその扉と枠体との隙間を塞ぐカバー部材の一部を構成する部分を有してなる構成とする。この構成では、ヒンジ機構の固定金具自体が扉と枠体との隙間を塞ぐカバー部材の一部を構成しているため、ヒンジ機構の配設箇所つまりヒンジ部における扉と枠体との隙間を通しての不正が防止される。
【００１３】
請求項５に係る発明は、請求項１に係る発明の場合と他方の取付箇所におけるロック機構の配置位置を変更しながらこれと同様な機能を発揮し得る遊技機の扉取付構造を提供するものである。すなわち、他方の取付箇所では、扉にヒンジ機構を、枠部にフック部材をそれぞれ設ける。上記ヒンジ機構を、扉に固定された固定金具と、この固定金具に一端が支軸を介して回動可能に連結された回動金具とによって構成するとともに、上記回動金具の他端に上記フック部材と係合可能なロック機構を設け、扉の取付時に上記ロック機構によりフック部材を係合ロックするように構成する。
【００１４】
この構成でも、扉を枠部に取り付ける場合、一方の取付箇所で支軸を軸受部に嵌入して枠側金具上に扉側金具を支持させた後、他方の取付箇所において、扉側のヒンジ機構の回動金具の他端に設けたロック機構により枠部側のフック部材を係合ロックすることにより、扉がヒンジ機構、ロック機構及びフック部材を介して枠部に連結されかつヒンジ機構の支軸を中心に開閉自在に支持されることになり、扉の取付作業を容易に行うことができる。しかも、上記ヒンジ機構などの配設に伴って扉及び枠部の設計変更を必要とすることはない。
【００１５】
【発明の実施の形態】
以下、本発明の実施の形態を図面に基づいて説明する。
図１は本発明の一実施形態に係る扉取付構造を備えた遊技機としてのスロットマシンＡを示し、このスロットマシンＡは、筐体１の前方開口部に前扉２がその左側縁の上下２箇所で各々ヒンジ３又は４を介して開閉自在に取り付けられている。
【００１６】
上記前扉２は、３つのリール表示窓６，６，６などの表示部と、スタートレバー７及び３個の停止ボタン８，８，８などの操作部と、メダル受け皿９とを有している。また、上記筐体１内には、図示していないが、複数の図柄が各々描かれた３つのリールを独立的に回転させるリール装置及びメダルの払い出しを行うホッパー装置などが収納されるようになっており、リール停止時には各リールの３駒分の図柄が前扉２の対応するリール表示窓６を通して外部に見えるようになっている。
【００１７】
上記下側のヒンジ４は、図２及び図３に詳示するように、前扉２の下縁部２ａ下面に取り付けられた扉側金具１１と、筐体１の底板１ａに取り付けられた枠側金具１２とからなる。扉側金具１１は、前扉２の下縁部２ａ下面に当接してビス止めにより固定された矩形平板状の固定部１１ａと、この固定部１１ａの一辺より筐体１寄りに延出しかつ固定部１１ａに対し下方に位置するように段差状に形成された第１舌片部１１ｂと、上記固定部１１ａの他の一辺より第１舌片部１１ｂと直交して延出しかつ第１舌片部１１ｂと同様に固定部１１ａに対し段差状に形成された第２舌片部１１ｃとを有しており、第２舌片部１１ｃには上下方向に貫通する孔よりなる軸受部１３が形成されている。
【００１８】
また、上記枠側金具１２は、筐体１の底板１ａ上面に当接してビス止めにより固定された固定部１２ａと、この固定部１２ａの前縁より筐体１の底板１ａの厚み分下方に下がった位置より段差状にかつ前方に延出する舌片部１２ｂとを有しており、舌片部１２ｂには上方に突出する支軸１４が設けられている。そして、前扉２の取付時には上記支軸１４を上記扉側金具１１の軸受部１３に下方より嵌入して枠側金具１２の舌片部１２ｂ上に扉側金具１１の第２舌片部１１ｃを支持するとともに、前扉２の閉じ状態では枠側金具１２の舌片部１２ｂ上に扉側金具１１の第１及び第２舌片部１１ｂ，１１ｃを共に載置するようになっている。
【００１９】
一方、上記上側のヒンジ３は、図４に詳示するように、前扉２の上縁部２ｂ寄りの位置に設けられたヒンジ機構２０と、筐体１の上板１ｂに前方開口部に面して設けられたロック機構４０とからなる。ヒンジ機構２０は、前扉２に固定された固定金具２１と、この固定金具２１に一端が支軸としてのピボット軸２２を介して水平方向に回動可能に連結された回動金具２３とを備えている。
【００２０】
上記固定金具２１は、図５にも示すように、前扉２の側縁部２ｃに沿って上下方向に延びかつ側縁部２ｃに向かって開口する断面コの字状の垂直部２１ａと、この垂直部２１ａの一側辺部上端を外側に直角に折り曲げてなる水平部２１ｂとを有している。垂直部２１ａは、水平部２１ｂと同じ側の側辺部を前扉２側の部材（図示せず）に当接するとともに、この側辺部に設けたビス孔２４を通してビス止めをすることにより前扉２側の部材に固定されており、またこの垂直部２１ａは、同じく前扉２側の部材（図示せず）に固定された断面コの字状のカバー部材２５の上端と連続するようになっており、前扉２の閉じ状態で前扉２と筐体１との間の隙間をカバー部材２５と共に塞ぐようになっている。水平部２１ｂには、ピボット軸２２が貫通する貫通孔２６が設けられているとともに、この貫通孔２６の周囲でかつ貫通孔２６の中心を挟んで互いに対向する２箇所にそれぞれ突起部を構成する小球２７を一部突出させた状態で保持するための保持孔２８が設けられている。
【００２１】
上記回動金具２３の一端部には、ピボット軸２２が貫通する貫通孔３１が設けられているとともに、この貫通孔３１の周囲に上記小球２７が嵌合可能な嵌合部としての嵌合孔３２が設けられている。この嵌合孔３２は、１個の小球２７に対し３つ計６つ設けられているとともに、１個の小球２７に対応する３つの嵌合孔３２，３２，３２は、貫通孔３１の周囲に円周方向に４５度間隔毎に設けられている。そして、固定金具２１と回動金具２３とを結合するときには、固定金具２１の水平部２１ｂの各保持孔２８に小球２７を挿入して保持させるとともに、水平部２１ｂ上の貫通孔２６の周囲（詳しくは小球２７よりも貫通孔２６寄りの位置）にスペーサ３３を配置し、この上から回動金具２３の一端部を固定金具２１の水平部２１ｂに重ね合わせた後、ピボット軸２２を回動金具２３の貫通孔３１及び固定金具２１の水平部２１ｂの貫通孔２６に挿入して止め輪３４などで抜け止め状態に結合するようになっている。
【００２２】
上記固定金具２１と回動金具２３との結合構造では、ピボット軸２２の回りに両者を相対的に回動させると固定金具２１側の各小球２７が回動金具２３の３つの嵌合孔３２，３２，３２に順次嵌合することにより４５度ずつ段階的に最大９０度まで回動するようになっており、これにより、前扉２の開閉時には前扉２が閉状態と４５度開放の半開き状態と９０度開放の全開状態とに選択されるようになっている。また、固定金具２１の水平部２１ｂには、前扉２の全開状態のときに回動金具２３の側縁と当接してその回動を規制するストッパ部３５が設けられている。
【００２３】
上記回動金具２３の他端部は、固定金具２１との結合部である一端部から略直角に曲がりかつ一段低くなって延びており、この他端部には左右二つの鉤状のフック部３６ａ，３６ｂが形成されている。
【００２４】
また、上記ロック機構４０は、図６ないし図１０にも示すように、筐体１の上板１ｂの下面に固定された固定金具４１と、この固定金具４１に横方向にスライド可能に保持されたスライド金具４２と、このスライド金具４２をスライド方向の一方に付勢するコイルばね４３と、スライド金具４２に取り付けられた左右二つの係合軸４４，４４とを備えている。
【００２５】
上記固定金具４１は、筐体上板１ｂの下面に当接して固定される上部水平部４１ａと、この上部水平部４１の前縁を下方に直角に折り曲げてなる垂直部４１ｂと、この垂直部４１ｂの下縁を後方に直角に折り曲げてなりかつ上部水平部４１ａと所定距離を隔てて対向して延びる下部水平部４１ｃとを有している。上部水平部４１ａは、その左右両側縁部にそれぞれ略Ｕ字状の切欠き溝４６，４６が形成され、この各切欠き溝４６を通してボルト４７を、筐体上板１ｂの上面側に埋設したナット４８に螺合締結することにより筐体上板１ｂに固定されている。この上部水平部４１ａ及び下部水平部４１ｃにはそれぞれ横方向に長い長孔よりなる左右二つのスライド溝４９，４９が設けられているとともに、垂直部４１ｂには、上記ヒンジ機構２０の回動金具２３のフック部３６ａ，３６ｂを導入可能なスリット状のフック導入口５０が設けられている。
【００２６】
上記スライド金具４２は、上記固定金具４１の上部水平部４１ａの下面（内面）にスライド可能に当接する上部水平部４２ａと、この上部水平部４２ａの後縁を下方に直角に折り曲げてなる垂直部４２ｂと、この垂直部４２ｂの下縁を前方に直角に折り曲げてなりかつ上記固定金具４１の下部水平部４１ｃの上面（内面）にスライド可能に当接する下部水平部４２ｃとを有している。このスライド金具４２の上部水平部４２ａと下部水平部４２ｃとの間に跨って上記各係合軸４４が取り付けられており、この各係合軸４４の上端部は上部水平部４２ａを貫通して固定金具４１の上部水平部４１ａのスライド溝４９内にまで延び、また各係合軸４４の下端部は下部水平部４２ｃを貫通して固定金具４１の下部水平部４１ｃのスライド溝４９内にまで延びており、よって、スライド金具４２は、各係合軸４４が固定金具４１のスライド溝４９内で移動できる範囲内でこのスライド溝４９に沿って横方向にスライド可能に保持されている。
【００２７】
上記コイルばね４３を設けるに当たり、上記固定金具４１の上部水平部４１ａ及びスライド金具４２の上部水平部４２ａにそれぞればね座部５１，５２が形成され、この両ばね座部５１，５２間にコイルばね４３が常に圧縮状態に装着されており、コイルばね４３は、スライド金具４２の上部水平部４２ａと下部水平部４２ｃとの間に横たわって配置されているとともに、スライド金具４２を係合軸４４がスライド溝４９内の右端に寄るように常時付勢している。スライド金具４２にはコイルばね４３の付勢力つまりばね力に抗してスライド金具４２をスライド溝４９の左端側にスライドさせるための押込み片５３がスライド金具４２の垂直部４２ｂの側縁を前方に直角に折り曲げて形成されている。
【００２８】
次に、上記スロットマシンＡの前扉２を筐体１の前方開口部に取り付け、また取り外すときの作業手順について、図１１などを参照しながら説明する。前扉２を筐体１に取り付けるときには、先ず、前扉２を筐体１の前方開口部の位置にまで持ち上げた後、下側のヒンジ４において、図２及び図３に示すように、扉側金具１１の軸受部１３と枠側金具１２の支軸１４との位置合わせをしながら、軸受部１３に支軸１４を嵌入して枠側金具１２の舌片部１２ｂ上に扉側金具１１の第２舌片部１１ｃを支持させる。この時、軸受部１３と支軸１４との位置合わせは下側のヒンジ４のみで行うに過ぎないので、従来の如く上下２箇所のヒンジ部で同時に位置合わせを行うものに比べて位置合わせ及び嵌入操作を容易に行うことができる。
【００２９】
続いて、枠側金具１２の舌片部１２ｂ上に扉側金具１１の第２舌片部１１ｃを支持させた状態つまり前扉２を筐体１に下側のヒンジ４で支持させた状態において、そのヒンジ４の支軸１４を中心として前扉２の上部を筐体１側に寄せながら、上側のヒンジ３において、図４及び図１１（ａ）に示すように、前扉２側のヒンジ機構２０における回動金具２３のフック部３６ａ，３６ｂを筐体１側のロック機構４０における固定金具４１のフック導入口５０に差し込む。すると、上記フック部３６ａ，３６ｂの先端がそれぞれ対応する係合軸４４と接触してコイルばね４３の付勢力に抗してスライド金具４２を一旦固定金具４１のスライド溝４９に沿って左側にスライドさせ、フック部３６ａ，３６ｂが係合軸４４と係合する位置にまで差し込まれた時点でスライド金具４２がコイルばね４３の付勢力により固定金具４１のスライド溝４９に沿って右側にスライドしてフック部３６ａ，３６ｂと係合軸４４との係合状態をロックする（図１１（ｂ）に示す状態）。
【００３０】
この時、前扉２側のヒンジ機構２０における回動金具２３は、固定金具２１の水平部２１ｂの保持孔２８で保持した小球２７が回動金具２３の嵌合孔３２に嵌合して回り止め状態になっているため、フック部３６ａ，３６ｂの差し込みの反力としてピボット軸２２回りに回動金具２３を固定金具２１の水平部２１ｂ上で回動させる力が作用しても回動することはなく、フック部３６ａ，３６ｂの差込操作を容易にかつ確実に行うことができる。以上によって、前扉２の取付が終了し、前扉２は上下２つのヒンジ３，４を介して筐体１に確実に取り付けられる。
【００３１】
一方、前扉２を筐体１から取り外すときには、前扉２を全開状態にした後、先ず、上側のヒンジ３において、図１１（ｃ）に示すように、ロック機構４０のスライド金具４２の押込み片５３をＢ方向に押し、前扉２側の回動金具２３をＣ方向に引張ることにより、ロック機構４０とヒンジ機構２０とを分離する。続いて、前扉２を上方に持ち上げると、下側のヒンジ４において、扉側金具１１の軸受部１３内から枠側金具１２の支軸１４が抜けて外れるようになり、これにより、前扉２の取外しが終了する。
【００３２】
このように、上記実施形態においては、前扉２の取付及び取外しを作業者一人でも容易にかつ確実に行うことができ、作業性の向上を図ることができる。しかも、下側のヒンジ４は従来と同様な構成であり、上側のヒンジ３は、前扉２の側縁部２ｃ内側にヒンジ機構２０の固定金具２１を、筐体１の上板１ｂ下面にロック機構４０を取り付けるだけであるため、これらのヒンジ３，４を設ける当たっては筐体１及び前扉２のいずれをも設計変更する必要はなく、従来仕様のスロットマシンＡにもそのまま使用することができる。
【００３３】
また、上記ヒンジ機構２０では、固定金具２１の水平部２１ｂの保持孔２８で保持した小球２７が回動金具２３のピボット軸２２回りに設けた３つの嵌合孔３２，３２，３２のいずれかに嵌合することにより、前扉２を開けるときその開状態を４５度開放の半開き状態と９０度開放の全開状態のいずれかに選択することできる上、それらの開状態を一定の力（小球２７と各嵌合孔３２との嵌合力）で保持することができるので、営業中にスロットマシンＡの保守点検などをする場合に非常に便利である。
【００３４】
さらに、上記固定金具２１の垂直部２１ａは、前扉２側の取り付けられたカバー部材２５の上端と連続して、このカバー部材２５と共に前扉２の閉じ状態で前扉２と筐体１との間の隙間を塞ぐようになっているため、上側のヒンジ３の配置箇所でも前扉２と筐体１との隙間からの不正を防止することができる。
【００３５】
加えて、上記ロック機構４０では、固定金具４１にスライド溝４９を設けてガイド機能を持たせたり、コイルばね４３のばね座部５１を設けたりして、部材の兼用により部品点数を少なくしているため、コンパクト化を図ることができる。また、コイルばね４３の付勢力によりヒンジ機構２０の回動金具２３のフック部３６ａ，３６ｂを確実に係合ロックすることができるので、作動の信頼性をも高めることができる。
【００３６】
尚、本発明は上記実施形態に限定されるものではなく、その他種々の形態を包含するものである。例えば上記実施形態では、ヒンジ機構２０の回動金具２３に２つのフック部３６ａ，３６ｂを設けたが、このフック部の個数は、２つに限らず、１つでもよい。また、ロック機構４０の固定金具４１の上部水平部４１ａ及び下部水平部４１ｂにそれぞれ幅方向（左右方向）に延びるスライド溝４９を設けたが、場合によっては、固定金具４１の上部水平部４１ａ又は下部水平部４１ｂの一方のみにスライド溝を設けてもよい。
【００３７】
また、上記実施形態では、下側のヒンジ４を、前扉２に取り付けられた扉側金具１１と、筐体１に取り付けられた枠側金具１２とによって構成し、かつ前扉２の取付時に上記枠側金具１２に設けた支軸１４を、扉側金具１１に設けた軸受部１３に嵌入して枠側金具１２上に扉側金具１１を支持させるようにする一方、上側のヒンジ３を、前扉２に設けられたヒンジ機構２０と、筐体１に設けられたロック機構４０とによって構成し、かつ前扉２の取付時に上記ヒンジ機構２０の回動金具２３のフック部３６ａ，３６ｂを上記ロック機構４０により係合ロックするようにしたが、本発明は、上側のヒンジ３と下側のヒンジ４とを全く逆の構成にしてもよい。
【００３８】
さらに、上記実施形態では、ヒンジ機構２０の回動金具２３の他端部に鉤状のフック部３６ａ，３６ｂを形成する一方、このフック部３６ａ，３６ｂと係合可能なロック機構４０を筐体１の上板１ｂに設けたが、本発明、特に請求項５に係る発明では、先端に鉤状のフック部を有するフック部材の基端を筐体１の上板１ｂに固定する一方、このフック部材のフック部と係合可能なロック機構（実施形態のロック機構４０と同様な構成のもの）をヒンジ機構２０の回動金具２３の他端部に設けてもよく、実施形態の場合と同様な作用・効果を奏することができる。
【００３９】
さらにまた、上記実施形態では、スロットマシンＡにおいて、前扉２を筐体１の前方開口部に上下２箇所でヒンジ３，４を介して開閉自在に取り付ける場合について述べたが、本発明は、パチンコ機において、遊技盤や操作ハンドルなどを備えた前枠を、板材を矩形に枠組みしてなる取付枠に対し上下２箇所でヒンジを介して開閉自在に取り付ける場合などにも同様に適用することができるのは勿論である。
【００４０】
【発明の効果】
以上のように、本発明における遊技機の扉取付構造によれば、扉の取付時には上下２箇所のヒンジ部のうち、一方のヒンジ部のみで支軸を軸受部に位置合わせしながら嵌入して枠側金具上に扉側金具を支持させ、この支持状態で扉を枠部側に寄せて他のヒンジ部で扉側のヒンジ機構の回動金具他端のフック部を枠部側のロック機構により係合ロックし、あるいは扉側のヒンジ機構の回動金具他端に設けたロック機構により枠部側のフック部材を係合ロックすることにより、扉の取付を作業者一人でもって容易に行うことができ、取付作業の簡易化を図ることができる。しかも、遊技機の扉及び枠部の設計変更を必要としないので、実施化を図る上で非常に有利なものである。
【００４１】
特に、請求項２に係る発明では、ロック機構を比較的少ない部材でコンパクトにすることができるとともに、ばね力によりヒンジ機構の回動金具のフック部を確実に係合ロックすることができるので、作動の信頼性を高めることができるという効果をも奏する。
【００４２】
また、請求項３に係る発明では、ヒンジ機構の固定金具及び回動金具に各々支軸回りに設けた突起部と嵌合部との嵌合により扉の開度を段階的に選択することができるので、営業中での保守点検などに非常に便利なものである。
【００４３】
さらに、請求項４に係る発明では、ヒンジ機構の固定金具が扉と枠体との隙間を塞ぐカバー部材の一部を構成しているため、ヒンジ部における扉と枠体との隙間からの不正を防止できるという効果を併有する。
【図面の簡単な説明】
【図１】本発明の一実施形態に係るスロットマシンの分解斜視図である。
【図２】上記スロットマシンの下側のヒンジ箇所における前扉の取付前の状態を示す斜視図である。
【図３】同じく前扉の取付後の状態を示す斜視図である。
【図４】上側のヒンジ箇所における前扉の取付前の状態を示す斜視図である。
【図５】ヒンジ機構の分解斜視図である。
【図６】図４のＸ−Ｘ線における拡大断面図である。
【図７】ロック機構の斜視図である。
【図８】同平面図である。
【図９】図８のＹ方向から見た矢視図である。
【図１０】図８のＺ−Ｚ線における断面図である。
【図１１】作動説明図である。
【符号の説明】
Ａ    スロットマシン
１    筐体（枠部）
２    前扉
３，４    ヒンジ
１１    扉側金具
１２    枠側金具
１３    軸受部
１４    支軸
２０    ヒンジ機構
２１    固定金具
２２    ピボット軸（支軸）
２３    回動金具
２５    カバー部材
２６，３１    貫通孔
２７    小球（突起部）
３２    嵌合孔（嵌合部）
３６ａ，３６ｂ    フック部
４０    ロック機構
４１    固定金具
４２    スライド金具
４３    コイルばね
４４    係合軸
４９    スライド溝
【図１】
0003813390.tif 000002
【図２】
0003813390.tif 000003
【図３】
0003813390.tif 000004
【図４】
0003813390.tif 000005
【図５】
0003813390.tif 000006
【図６】
0003813390.tif 000007
【図７】
0003813390.tif 000008
【図８】
0003813390.tif 000009
【図９】
0003813390.tif 000010
【図１０】
0003813390.tif 000011
【図１１】
0003813390.tif 000012